(57)【要約】  関係する管の外側の表面上に配置される一つ以上のフィンを有する、吸収力のある弾性の繊維材料の中空の管である、男性の排尿のための衛生的保護具である。その利点は、以下のものである。排尿の前又は後に自分の手を洗う必要がなく、吸収性の紙であって最後の一滴を回収するため下着又はズボンにおいて染みが発生せず、排尿中の陰茎が完全に覆いの内側にある場合には跳ねを削減し、これにより洗濯サービスの回数を削減して臭いの発生をほぼ完全に除去した。
2018521814.tif 000002
【特許請求の範囲】
【請求項１】
中空の管（２）の外側の表面上に配置される一つ以上のフィン（４）を有する、吸収力のある弾性繊維材料の中空の管（２）から構成されることを特徴とする、男性の排尿のための衛生的保護具。
【請求項２】
前記管（２）が略円筒形に形成されることにより特徴付けられる、請求項１に記載の男性の排尿のための衛生的保護具。
【請求項３】
前記管（２）が円錐台形であることにより特徴付けられる、請求項１に記載の男性の排尿のための衛生的保護具。
【請求項４】
前記管（２）の表面が均等に分布される複数の長手方向の折り曲げを有することにより特徴付けられる、請求項１乃至３のいずれかに記載の男性の排尿のための衛生的保護具。
【請求項５】
陰茎亀頭に接触するための終端（５）が前記管（２）の内側に向かって折り曲げられ、内側に向かって曲げる管の部分は複数の周縁の折り曲げ（６）を配置する（dispose of）ことができることにより特徴付けられる、請求項１乃至４のいずれかに記載の男性の排尿のための衛生的保護具。
【請求項６】
前記繊維材料が紙であることにより特徴付けられる、請求項１乃至５のいずれかに記載の男性の排尿のための衛生的保護具。
【請求項７】
前記管（２）の内側表面上に肌用クレンジングクリーム及び粘液性の膜を組み込むことを特徴とする、請求項１乃至６のいずれかに記載の男性の排尿のための衛生的保護具。
【請求項８】
前記管（２）の内側表面が消毒用クリームを組み込むことにより特徴付けられる、請求項１乃至７のいずれかに記載の男性の排尿のための衛生的保護具。
【発明の詳細な説明】
【技術分野】
【０００１】
本発明の目的は、陰茎の覆いによって男性の排尿中及びその後の衛生状態及び清浄を確実にするための器具である。
【背景技術】
【０００２】
（発明の背景）
全ての男性は排尿中の異なる問題に直面しており、それらの中では、行為前にそれらを洗う必要がある汚い手と、行為中に手が汚くなることと、そのようにする手段を有しないこと、又はそれらの飛沫若しくは発生する跳ねが排尿後にズボン又はその内側の衣服を汚して非常に多くの結婚生活上の不和を引き起こすことを引用することができる。
【０００３】
男性の排尿のための衛生的保護具は、上記欠点を解決してサービス及び使用者の衛生状態及び清浄さに貢献する、容易な製造及び低コストの器具である。
【０００４】
特許出願ＵＳ２００６／００９０２５０は、実質的に平坦である柔軟な材料の単純なシートにより構成され、水を感知可能に受け入れ可能である尿の排尿器具を示し、これは尿が尿道から下方によって（by below）位置する受け入れ開口部に流れるためのガイドを提供し得る。製造材料は、設備を塞ぎ又は損傷することなく下水設備において消去され得る。本発明の好適な材料は、従来のトイレットペーパーに類似して尿中において完全に濡らされないように変形された不織の軽量シートである。好適な材料は、ＵＳ４，７５５，４２１において例証されるものに類似する、不織の濡れた生分解性織物（web）材料である。本発明の器具は、少なくとも一時的に不浸透性であるように外側上に被覆され得る薄い軽量の紙からも形成され得るが、これは一旦使用されると尿の支持具を廃棄するためにそれを空にすることが可能であるように十分に生分解可能である。特許出願ＵＳ２００６／００９０２５０により提示される問題は、尿を向けるための柔軟な材料の平坦なシートの提供が、それが排尿が安全であるように排尿の時点における完全な安全性を使用者に保証しないような方法により材料のシートを折り曲げることに大きく依存するため、排尿がシートの任意の部分を通じて流れ得るために排尿が正しく方向付けられることを確実にしないことであり、使用者の陰茎からの尿の流れを方向付けることを可能にするためのような形態を器具が提供することが必要であり、これは本発明品が陰茎の終端に適応する円筒状又は円錐台状の形状の管から構成され、陰茎亀頭と接触することが意図される前記終端は管の内部に向かって折り曲げられ、内側に向かって折り曲げられる管の部分は単一の経路のいずれかによって尿の方向を確実にする複数の周縁の折り曲げを有し、これはいかなる部分によっても放出されないため、本発明を用いて達成され、加えて本発明はその信頼性を増加させる使用者によるその操作のための一つ以上のフィンを備えている。
【発明の概要】
【課題を解決するための手段】
【０００５】
（発明の説明）
本発明の男性の排尿目的のための衛生的保護具は、関係する管の外側の表面上に配置される一つ以上のフィンを有する、吸収力のある弾性の繊維材料の中空の管から構成される。
【発明を実施するための形態】
【０００６】
（発明の好適な実施形態）
図１は男性の排尿のための衛生的保護具の第一の優先度の具現化を示し、これは好適には、その外側の表面が取り扱いを容易にするための一つ以上のフィンを有する、略円筒形の形状の吸収力のある弾性材料の中空の管により構成される（consist in）。
【０００７】
図２は本発明の第二の好適な具現化を示し、これは好適には、その外側の表面がその操作を容易にするための一つ以上のフィンを有する、吸収力のある弾性繊維の材料の略受け皿（pan）形状の中空の管により構成される。
【０００８】
図３は本発明の第三の好適な具現化を示し、これは好適には、その外側の表面が取り扱いを容易にするための一つ以上のフィンを有する、吸収力のある弾性繊維材料、好適には紙の受け皿形状の中空の管（２）により構成される。加えて、陰茎亀頭と接触するように目的を定められる終端（５）は関係する管の内側に向かって折り曲げられ、内側に向かって折り曲げられる管の部分は複数の周縁のひだ（６）を有し得る。
【０００９】
設計の選択肢として、管（２）の表面の孔は、それらの異なる寸法の陰茎への適応を容易にするための、均一に分布される図中に示されない複数のひだを有する。
【００１０】
箱に入って到来し得る男性の排尿のための衛生的保護具を使用するための方法は、一つを箱から取り、管の折り曲げられた部分を内側に伸長させ、フラップ（flap）によりそれを掴んで指によりそれを引き伸ばし、陰茎亀頭が約１ｃｍ突き出るまで陰茎を挿入し、排尿し、発明品を部分的に取り外し、最後の一滴を回収するために振り、それを取り外し、陰茎亀頭の先端を乾燥させ、最後にそれをゴミ箱に投げ捨てることである。
【００１１】
清浄を向上させ、臭いを除去して病気を防止するために、中空の管の内側の表面は肌用のクレンジングクリーム、粘液性の膜又は消毒用クリームを組み込み得る。
【００１２】
本発明の利点は、排尿の前又は後に手を洗うことが必要でなく、吸収性の紙であって最後の一滴を回収するため染みが下着又はズボンにおいて生じず、排尿中の陰茎が完全に覆いの内側にある場合に跳ねを減少させ、これにより洗濯サービスの回数を減少させて臭いの発生をほぼ完全に除去したことを含むが、これらに限られない。
【図面の簡単な説明】
【００１３】
【図１】本発明の第一の優先度の具現化の斜視図を示す。
【図２】本発明の第二の優先度の具現化の斜視図を示す。
【図３】本発明の第三の好適な具現化の斜視図を示す。
【図１】
2018521814.tif 000003
【図２】
2018521814.tif 000004
【図３】
2018521814.tif 000005
【国際調査報告】
2018521814.tif 000006
2018521814.tif 000007
2018521814.tif 000008
2018521814.tif 000009